(57)【要約】【課題】  制御用構成要素の汎用性を高めた遊技機を提供する。【解決手段】  基板１２０の基板面１２０ａには、制御用構成要素１３０と入出力用構成要素１４０が平行に配置されている。制御用構成要素１３０と入出力用構成要素１４０は、基板に最も近い面が最も大きい面積を有する面とならないように配置されている。また、入出力用構成要素１４０と制御用構成要素１３０は、制御用構成要素１３０の、入出力用構成要素１４０に対抗する側の面に表示されている識別情報の視認が可能となるように離して配置されている。入出力用構成要素１４０は、セレクタ端子の組を介して入力されたセレクト信号に基づいて、データバス端子と複数のデータ端子との間のデータの入出力を行う。【選択図】    図２
2006068252.tif 000002
【特許請求の範囲】
【請求項１】
遊技機の動作を制御する制御回路を内蔵する制御用構成要素と、前記制御用構成要素に接続され、前記制御回路と他の回路との間でのデータの入出力処理を実行する入出力処理回路を内蔵する入出力用構成要素と、前記制御用構成要素及び入出力用構成要素が配置される基板とを備える遊技機であって、
前記制御用構成要素及び前記入出力用構成要素は、基板に最も近い面が最も大きい面積を有する面とならないように配置されているとともに、前記制御用構成要素の、前記入出力用構成要素に対向する側の面に表示されている識別情報の視認が可能となるように離して平行に配置されている、
ことを特徴とする遊技機。
【発明の詳細な説明】
【技術分野】
【０００１】
本発明は、遊技機に関し、特に、汎用性及び不正防止効果を高めた遊技機に関する。
【背景技術】
【０００２】
遊技機、例えば、パチンコ機には、遊技機の動作を制御するための制御装置が複数設けられている。例えば、パチンコ機全体の動作を制御する主制御回路を有する主制御装置が設けられている。
主制御装置を構成する構成要素、例えば、主制御回路、記憶回路（ＲＯＭやＲＡＭ）、主制御回路と外部機器を接続するためのソケット等は、主制御基板に配置されている。各構成要素は、主制御基板に印刷されている配線パターン等の接続線によって接続されている。通常、主制御回路は、制御プログラム等を記憶している記憶回路（例えば、ＲＯＭ）等とともに樹脂によってモールドされ、パッケージ化された主制御用集積回路（「ワンチップマイコン」という）として形成されている。各構成要素が配置された主制御基板は、内部が視認可能な透明性を有するケースに収納され、封印されている。
ところで、近年、遊技方法や遊技内容の複雑化や多様化に伴って、主制御回路とデータの入出力を行う外部機器（主制御基板に配置されている他の電気回路を含む）の数が増加し、また、主制御回路と外部機器との接続状態が変更されることが多くなっている。
外部機器の数が増加すると、既存の制御用集積回路に設けられているデータ端子（例えば、８個の端子によって構成される８ビットのデータ端子）の数が不足する場合がある。このような場合には、データ端子の数が多い主制御用集積回路を用いる必要がある。
また、主制御回路と外部機器との接続状態を変更する場合には、主制御用集積回路周辺の配線パターンを変更する必要がある。ここで、主制御回路は、遊技機全体の制御を行うため、多くの外部機器との間でデータの入出力を行っている。このため、主制御用集積回路周辺には多くの配線パターンが配設されており、主制御用集積回路周辺の配線パターンを変更するのは非常に困難である。
そこで、主制御用集積回路の汎用性を高め、外部機器の数の増加や主制御回路と外部機器との接続状態の変更に安価に対応できる技術の開発が要望されている。
ここで、主制御用集積回路の汎用性を高める方法として、入出力機能を拡張することができる入出力用集積回路（拡張Ｉ／Ｏポート機能を有する集積回路）を、主制御用集積回路と外部機器との間に設ける方法が考えられる。
この場合、主制御基板への入出力用集積回路の配置によって、他の電気回路の配置スペースが狭くなるため、主制御基板の実装効率を高める必要がある。
【０００３】
ところで、パチンコ機等の遊技機では、不正、特に、賞球数（遊技者に払い出される遊技球の数）を管理している主制御回路に対する不正が行われることが多い。
例えば、主制御用集積回路を不正な制御用集積回路（例えば、不正な制御プログラムを記憶しているＲＯＭを内蔵する制御用集積回路）に交換する不正が行われることがある。さらに、外観を正規の主制御用集積回路の外観に巧妙に似せた不正な制御用集積回路を用いる不正が行われることもある。この場合、このような不正を発見するのが困難である。
特に、主制御用集積回路としてＤＩＰ(Dual  In-line  Package)型（「横型」という）の集積回路を用いている場合、主制御基板（主制御基板の基板面）に対向する面（裏面）の面積が大きく、また、裏面と主制御基板との間の間隔が狭い。このため、主制御用集積回路が主制御基板に配置された状態では、ケースの外部から主制御用集積回路の裏面の状態を確認することができず、主制御用集積回路が不正な制御用集積回路に交換されたことや、主制御用集積回路と主制御基板との間に不正回路（例えば、不正な始動信号や入賞信号を出力する不正回路）が設けられていることを発見するのが困難である。
そこで、制御用集積回路としてＺＩＰ(Zig-zag  In-line  Package)型（「縦型」という）のＲＯＭ内蔵の集積回路を用いた遊技機が提案されている。（特許文献１参）
縦型に形成された制御用集積回路は、制御用集積回路の面積が大きい表面及び裏面が基板の基板面から立ち上がる方向に配置されるため、ケースの外部から制御用集積回路の表面及び裏面の状態を容易に確認することができる。このため、制御用集積回路が不正な制御用集積回路に交換されたことや、制御用集積回路と基板の基板面との間に不正回路が設けられていることを容易に発見することができる。
また、縦型の形成された制御用集積回路は、基板に対向する面の面積が小さいため、基板の実装効率を高めることができる。
そこで、前記した、主制御用集積回路及び入出力用集積回路として、縦型の集積回路を用いることが考えられる。
【特許文献１】特開２００１−３１４６２２号公報
【発明の開示】
【発明が解決しようとする課題】
【０００４】
主制御用集積回路と外部機器との間に入出力用集積回路を設けることにより、主制御用集積回路と外部機器との接続状態の変更や外部機器の数の増加等に対して安価に容易に対応することができ、主制御用集積回路の汎用性が向上する。
また、主制御用集積回路と入出力用集積回路としてＺＩＰ型（縦型）の制御用集積回路を用いることにより、主制御用集積回路に対する不正を防止することができるとともに、主制御基板の実装効率を高めることができる。
【０００５】
ところで、通常、基板に集積回路等の電気回路を配置する場合、電気回路を接続する接続線（通常は、基板に印刷されている配線パターン）の電気抵抗の増加による影響や接続線へのノイズの侵入を防止するために、接続線の長さが短くなるように電気回路が基板に配置される。
したがって、主制御用集積回路及び入出力用集積回路としてＺＩＰ型（縦型）の制御用集積回路を用いた場合にも、一般的には、主制御用集積回路と入出力用集積回路は、主制御用集積回路と入出力用集積回路の間の距離が短くなるように近づけて主制御基板に配置される。
ここで、主制御用集積回路には、識別情報を表示することが義務付けられている。このため、例えば、主制御用集積回路あるいは主制御用集積回路に内蔵されている主制御回路の型番を示す文字等が印刷されたラベルが主制御用集積回路に貼付されている。
ＺＩＰ型（縦型）の主制御用集積回路と入出力用集積回路が近づけて主制御基板に配置され、また、主制御用集積回路の、入出力用集積回路に対向する側の面にラベルが貼付されている場合には、入出力用集積回路の存在によって、主制御用集積回路に貼付されているラベルに印刷されている文字等をケースの外部から視認するのが困難となる。
この場合、主制御用集積回路が、外観は正規の主制御用集積回路の外観に巧妙に似せているが、正規のシールが貼付されていない不正な制御用集積回路に交換されたことを判別するのが困難となる。
そこで、本発明が解決しようとする課題は、不正防止効果を高めながら、制御用集積回路の汎用性を高めることができる遊技機を提供することである。
【課題を解決するための手段】
【０００６】
前記課題を解決するために、本発明の遊技機は、請求項１に記載された構成を備えている。
請求項１に記載の遊技機では、制御用構成要素と入出力用構成要素は、基板に最も近い面が最も大きい面積を有する面とならないように基板に配置されているとともに、制御用構成要素の、入出力用構成要素に対向する側の面に表示されている識別情報の視認が可能となるように離して平行に配置されている。
「基板に最も近い面が最も大きい面積を有する面とならないように基板に配置されている」という記載は、制御用構成要素及び入出力用構成要素が基板に配置された時に、基板に最も近い面（例えば、面の中心と基板面との間の距離が最も小さい面）の面積より大きい他の面が存在する配置態様を表している。この典型的な配置態様は、制御用構成要素及び入出力用構成要素としてＺＩＰ型等の縦型の制御用集積回路を用い、制御用構成要素が基板の基板面に配置された時に、制御用構成要素の最も面積が大きい面が、基板面から略直角に立ち上がるように配置される態様である。
「制御用構成要素に表示されている識別情報」は、例えば、制御用構成要素に印刷されているあるいは制御用構成要素に貼付されているラベルに印刷されている、当該制御用構成要素あるいは当該制御用構成要素に内蔵されている制御回路の型番を示す文字等の情報を含む。
「制御用構成要素と入出力用構成要素が平行に配置される」という記載は、制御用構成要素の端子列の配列方向と入出力用構成要素の端子列の配列方向が平行になるように、制御用構成要素と入出力用構成要素が配置される構成を意味する。なお、「平行に配置される」構成には、略平行に配置される構成も含まれる。
「制御用構成要素と入出力用構成要素が、制御用構成要素の、入出力用構成要素に対向する面に表示されている識別情報の視認が可能となるように離して平行に配置されている」構成としては、制御用構成要素に表示されている識別情報全体を視認可能な距離以上離して制御用構成要素と入出力用構成要素が平行に配置されている構成や、制御用構成要素に表示されている識別情報の一部を視認可能であり、且つ、視認した識別情報の一部に基づいて識別情報全体を推定可能な距離以上離して制御用構成要素と入出力用構成要素が平行に配置されている構成を用いることができる。すなわち、必ずしも、識別情報の全体を視認可能でなくてもよい。
【発明の効果】
【０００７】
請求項１に記載の遊技機では、制御用構成要素と外部機器との間に入出力用構成要素を設けているため、制御用構成要素と外部機器との接続状態の変更や外部機器の数の増加に対して安価に容易に対応することができ、制御用構成要素の汎用性が向上する。
また、制御用構成要素及び入出力用構成要素を、基板に最も近い面が最も大きい面積を有する面とならないように基板に配置しているため、基板の実装効率を高めることができるとともに、制御用構成要素や入出力用構成要素と基板の基板面との間に不正回路が設けられていることを容易に発見することができる。
さらに、制御用構成要素に表示されている識別情報の視認が可能となるように制御用構成要素と入出力用構成要素を離して基板に平行に配置しているため、不正な制御用構成要素（例えば、外観は正規の制御用構成要素に似せているが、正規の表示情報が表示されていない不正な制御用構成要素）が設けられていることを容易に発見することができ、不正防止効果を高めることができる。
ここで、制御用構成要素と入出力用構成要素を離して配置することにより、制御用構成要素と入出力用構成要素を接続する接続線の長さが長くなるが、制御用構成要素と入出力用構成要素を平行に配置しているため、接続線の長さが長くなる量を最小限に抑えることができる。
【発明を実施するための最良の形態】
【０００８】
以下に、本発明の実施の形態を、図面を参照して説明する。
本発明の一実施の形態の遊技機に設けられる主制御基板の概略構成を示す図1に示す。また、図１のＩＩ線矢視図（矢印ＩＩ方向から見た平面図）を図２に示し、図１の要部の斜視図を図３に示す。なお、図２に示されている構成要素（電気回路）の一部（例えば、発振器１２２）は、図１には示していない。また、図１及び図２には、主制御基板に配置される構成要素（電気回路）の全てを示していない。
本実施の形態では、パチンコ機に用いられている、主制御回路とＲＯＭ等の記憶回路を内蔵する主制御用集積回路、入出力処理回路を内蔵する入出力用集積回路等が配置された主制御基板について説明する。
【０００９】
主制御基板１２０の一方側の基板面（実装側基板面）１２０ａには、主制御用集積回路１３０、入出力用集積回路１４０、ソケット１２１、発振器１２２等が配置されている。
主制御用集積回路１３０、入出力用集積回路１４０、ソケット１２１、発振器１２２等の構成要素（電気回路）が配置された主制御基板１２０は、ベースとカバーからなるケース１１０内に収納され、封印具や封印シール等によって封印される。ケース１１０は、通常、ケース１１０が遊技機に取り付けられた状態で、係員等が、ケース外部からケース内部の状態（例えば、主制御基板１２０に配置されている構成要素の配置状態、構成要素の外形形状や構成要素に表示されている識別情報等）を視認可能な透明性を有する樹脂によって形成されている。
【００１０】
主制御用集積回路（「ＣＰＵチップ」という）１３０は、主制御回路、ＲＯＭ等の記憶回路、端子（データバス端子、セレクト端子、クロック端子等を含む）１３１が樹脂等によってモールドされて形成されている。主制御用集積回路１３０は、主制御基板１２０（主制御基板１２０の実装側基板面１２０ａ）に基も近い面（主制御基板１２０側に配置される面）が最も大きい面積を有する面とならないように主制御基板１２０（主制御基板１２０の実装側基板面１２０ａ）に配置される。
本実施の形態では、主制御用集積回路１３０として、ＺＩＰ型（縦型）に形成された制御用集積回路を用いている。主制御用集積回路１３０は、側面１３０ａ（入出力用集積回路１４０に対向する側の面）及び側面１３０ｂ（入出力用集積回路１４０に対向する側と反対側の面）、底面（基板面１２０ａに対向する面）１３０ｃを有している（図１０参照）。側面１３０ａあるいは１３０ｂが、面積が最も大きい面である。
長方形に形成されている底面１３０ｃには、長辺方向（図１０では、紙面に垂直な方向）に端子１３１がジグザグ状に交互に配列されている。これにより、端子１３１の先端部によって、底面の長辺方向に平行な２列の直線状の端子列１３１ａ、１３１ｂが形成されている。
【００１１】
入出力用集積回路（「ＩＯチップ」という）１４０は、入出力処理回路、端子（データバス端子、データ端子、セレクト端子を含む）１４１が樹脂等によってモールドされて形成されている。入出力用集積回路１４０は、主制御基板１２０（主制御基板１２０の実装側基板面１２０ａ）に基も近い面（主制御基板１２０側に配置される面）が最も大きい面積を有する面とならないように主制御基板１２０（主制御基板１２０の実装側基板面１２０ａ）に配置される。
本実施の形態では、入出力用集積回路１４０は、主制御用集積回路１３０と同様に、ＺＩＰ型（縦型）に形成された入出力用集積回路を用いており、側面１４０ａ及び１４０ｂ、底面１４０ｃ（図示省略）を有している。
長方形に形成されている底面１４０ｃには、長辺方向に端子１４１がジグザグ状に交互に配列されている。これにより、端子１４１の先端部によって、底面の長辺方向に平行な２列の直線状の端子列１４１ａ、１４１ｂが形成されている。
本実施の形態では、主制御用集積回路１３０及び入出力用集積回路１４０として、外形形状が同じであり、端子１３１と１４１の数及び配置形状が同じである集積回路を用いている。
【００１２】
本実施の形態の主制御回路が本発明の「制御回路」に対応し、主制御用集積回路１３０が本発明の「制御用構成要素」あるいは「制御用集積回路」に対応し、入出力用処理回路が本発明の「入出力用処理回路」に対応し、入出力用集積回路１４０が本発明の「入出力用構成要素」あるいは「入出力用集積回路」に対応し、主制御基板１２０が本発明の「制御基板」に対応する。
【００１３】
主制御基板１２０には、主制御用集積回路１３０の端子１３１が挿入可能（すなわち、接続可能）な主制御用挿入部（主制御用接続端子）１２０ＣＰＵと、入出力用集積回路１４０の端子１４１が挿入可能（すなわち、接続可能）な入出力用挿入部（入出力用接続端子）１２０ＩＯが設けられている(図１４参照)。
主制御用挿入部１２０ＣＰＵは、主制御用集積回路１３０の２列の端子列１３１ａ及び１３１ｂに対応させて配列された、平行な２列の主制御用挿入部列（主制御用接続端子列）１２０ＣＰＵａ及び１２０ＣＰＵｂを有している。
また、入出力用挿入部１２０ＩＯは、入出力用集積回路１４０の２列の端子列１４１ａ及び１４１ｂに対応させて配列された、平行な２列の入出力用挿入部列（入出力用接続端子列）１２０ＩＯａ及び１２０ＩＯｂを有している。
【００１４】
本実施の形態では、主制御用集積回路１３０の端子１３１（端子列１３１ａ及び１３１ｂを形成）が本発明の「制御用集積回路の端子」に対応し、主制御用挿入部１２０ＣＰＵ
（主制御用挿入部列１２０ＣＰＵａ及び１２０ＣＰＵｂを形成）が本発明の「制御用接続部」に対応し、入出力用集積回路１４０の端子１４１（端子列１４１ａ及び１４１ｂを形成）が本発明の「入出力用集積回路の端子」に対応し、入出力用挿入部１２０ＩＯ（入出力用挿入部列１２０ＩＯａ及び１２０ＩＯｂを形成）が本発明の「入出力用接続部」に対応する。
【００１５】
ここで、接続線の抵抗の影響や接続線へのノイズの侵入等の観点から、接続線はできるだけ短いほうが好ましい。
そこで、本実施の形態では、制御用挿入部１２０ＣＰＵの制御用挿入部列１２０ＣＰＵａ及び１２０ＣＰＵｂの配列方向と入出力用挿入部１２０ＩＯの入出力用挿入部列１２０ＩＯａ及び１２０ＩＯｂの配列方向が平行となるように、制御用挿入部１２０ＣＰＵ及び入出力用挿入部１２０ＩＯを基板１２０に配置することによって（すなわち、主制御用集積回路１３０の端子１３１の端子列１３１ａ及び１３１ｂの配列方向と入出力用集積回路１４０の端子列１４１ａ及び１４１ｂの配列方向を平行とすることによって）、制御用挿入部１２０と入出力用挿入部１２０ＩＯの間（すなわち、主制御用集積回路１３０の端子１３１と入出力用集積回路１４０の端子１４１との間）に配設されるデータバスの長さを短くしている。本実施の形態では、このような配置状態を、「主制御用集積回路１３０と入出力用集積回路１４０が平行に制御基板１２０に配置されている」という。
本実施の形態では、主制御用集積回路１３０と入出力用集積回路１４０は、平行方向の配置位置が一致（略一致を含む）している、すなわち、平行方向にずれていない状態（ほとんどずれでいない状態を含む）で平行に配置されている。
【００１６】
また、入出力用集積回路１４０に接続されるソケット１２１は、入出力用集積回路１４０と電気回路との間に配設される接続線の長さを短くするために、制御基板１２０の、入出力用集積回路１４０の配置方向に沿った両側に配置される。
そこで、本実施の形態では、主制御基板１２０の実装効率を高めるために、入出力用挿入部１２０ＩＯの入出力用挿入部列１２０ＩＯａ及び１２０ＩＯｂの配列方向（したがって、入出力用挿入部列１２０ＩＯａ及び１２０ＩＯｂと平行な主制御用挿入部列１２０ＣＰＵａ及び１２０ＣＰＵｂの配列方向）が、主制御基板１２０の、長方形に形成されている基板面１２０ａの長辺に平行（図２の左右方向）と平行になるように、入出力用挿入部１２０ＩＯ（したがって、制御用挿入部１２０ＣＰＵ）を基板１２０に配置している、本実施の形態では、このような配置状態を、「主制御用集積回路１３０と入出力用集積回路１４０が基板１２０の基板面１２０ａの長辺に平行に配置されている」という。
【００１７】
また、入出力用集積回路１４０には、ソケット１２１等の多くの電気回路が接続される。
そこで、本実施の形態では、図１及び図２に示すように、入出力用挿入部１２０ＩＯ（入出力用挿入部列１２０ＩＯａ及び１２０ＩＯｂ）を、主制御用挿入部１２０ＣＰＵ（主制御用挿入部列１２０ＣＰＵａ及び１２０ＣＰＵｂ）よりも主制御基板１２０の基板面１２０ａの中央部側に配置することによって、入出力用集積回路１４０と他の電気回路との間に配設される接続線の長さを短くしている。
さらに、ソケット１２１の接続端子の配列方向と入出力用挿入部列１２０ＯＩａ及び１２０ＩＯｂの配列方向が平行となるように、ソケット１２１を制御基板１２０に取り付けているこのような配置状態を、「ソケット（接続部）を入出力用集積回路１４０と平行に配置する」という。
なお、本明細書では、「平行」という記載は、２つの構成要素が概略平行である構成をも含むものとして用いている。また、「中央部」という記載は、中央の位置の近傍を含むものとして用いている。
【００１８】
主制御用集積回路１３０の端子１３１及び入出力用集積回路１４０の端子１４１の配設状態の１例を図４に示す。
主制御用集積回路１３０には、端子１３１によって２列の端子列１３１ａ（端子番号１〜３２）及び１３１ｂ（端子番号３３〜６４）が形成されている。また、入出力用集積回路１４０には、端子１４１によって２列の端子列１４１ａ（端子番号１〜３２）及び１４１ｂ（端子番号３３〜６４）が形成されている。
本実施の形態では、図４に示すように、主制御用集積回路１３０では、入出力用集積回路１４０側に配置されている端子列１３１ａに、データを入出力するデータバス端子ＤＢｃ（端子番号１０〜１７の端子の組）を設けている。また、入出力用集積回路１４０と反対側に配置されている端子列１３１ｂに、セレクトデータを出力するセレクト端子Ｓｃ（端子番号３７〜４４の端子の組）を設けている。
一方、入出力用集積回路１４０では、主制御用集積回路１３０側に配置される端子列１４１ｂに、データを入出力するデータバス端子ＤＢｉ（端子番号４２〜４９の端子の組）を設けている。また、主制御用集積回路１３０と反対側に配置されている端子列１４１ａに、セレクトデータを入力するセレクト端子Ｓｉ（端子番号１〜８の端子の組）と、主制御基板１２０に配置されている他の電気回路との間でデータを入出力する複数のデータ端子Ｄ１（端子番号９〜１６の端子の組）及びＤ２（端子番号１７〜２４の端子の組）を設けている。
なお、図４では、２つのデータ端子Ｄ１とＤ２のみを示したが、データ端子の数は主制御回路との間でデータを入出力する外部機器（主制御基板１２０に配置されている他の電気回路を含む）の数に応じて適宜変更される。
また、セレクト端子Ｓｃ及びＳｉを構成する端子の数は、セレクト信号の形態に応じて適宜設定される。例えば、セレクト端子を構成する各端子によってデータ端子を選択する場合（例えば、端子３７から「Ｈ」レベルの信号を出力することによってデータ端子Ｄ１を選択する場合）には、セレクト端子は、入出力用集積回路１４０に設けられているデータ端子の数に等しい数の端子により構成される。あるいは、複数ビットの信号によってセレクト信号を構成する場合には、セレクト端子は、ビット数に対応する数の端子により構成される。例えば、８ビットのセレクト信号を用いる場合には、セレクト端子は、８つの端子により構成される。
【００１９】
主制御用集積回路１３０のデータバス端子ＤＢｃが挿入（接続）される制御用挿入部（制御用接続端子）１２０ＣＰＵと、入出力用集積回路１４０のデータバス端子ＤＢｉが挿入（接続）される入出力用挿入部（入出力用接続端子）１２０ＩＯは、データバス（基板面１２０ａに配設されている配線パターン）ＤＢＬによって接続されている。
このように、主制御用集積回路１３０の、入出力用集積回路１４０側の端子列１２０ＣＰＵａに含まれている端子をデータバス端子とし、入出力用集積回路１４０の、主制御用集積回路１３０側の端子列１２０ＩＯｂに含まれている端子をデータバス端子として用いることにより、主制御用集積回路１３０と入出力用集積回路１４０との間に配設されるデータバスの長さを短くすることができる。
さらに、本実施の形態では、主制御用集積回路１３０のデータバス端子ＤＢｃと入出力用集積回路１４０のデータバス端子ＤＢｉの配設位置を、主制御用集積回路１３０と入出力用集積回路１４０が主制御基板１２０の基板面１２０ａに配置された時に、データバス端子ＤＢｃとＤＢｉが対向するように設定されている。
すなわち、主制御用集積回路１３０のデータバス端子ＤＢｃが挿入（接続）される制御用挿入部１２０ＣＰＵと、入出力用集積回路１４０のデータバス端子ＤＢｉが挿入（接続）される入出力用挿入部１２０ＩＯを接続するデータバスＤＢＬが、制御用挿入部１２０ＣＰＵと入出力用挿入部１２０ＩＯの平行方向（主制御用集積回路１３０と入出力用集積回路１４０の平行方向）に直角（略直角を含む）な直線状（略直線状を含む）に配設可能に設定されている。
これにより、主制御用集積回路１３０と入出力用集積回路１４０との間に配設されるデータバスの長さをより短くすることができる。
【００２０】
また、主制御用集積回路１３０のセレクト端子Ｓｃが挿入（接続）される制御用挿入部１２０ＣＰＵと、入出力用集積回路１４０のセレクト端子Ｓｉが挿入（接続）される入出力用挿入部１２０ＩＯは、セレクト線（基板面１２０ａに配設された配線パターン）ＳＬによって接続されている。
また、入出力用集積回路１４０のデータ端子Ｄ１及びＤ２が挿入（接続）される入出力用挿入部１２０ＩＯと、他の電気回路の端子は、対応するデータ線（基板面１２０ａに配設された配線パターン）ＤＬ１及びＤＬ２によって接続されている。
【００２１】
主制御用集積回路１３０及び入出力用集積回路１４０は、以下のように動作する。
例えば、主制御用集積回路１３０に内蔵されている主制御回路から、データ線ＤＬ１にデータを出力する場合には、主制御回路は、データバス端子ＤＢｃを介してデータバスＤＢＬにデータを出力するとともに、セレクト端子Ｓｃにデータ端子Ｄ１を示すセレクト信号を出力する。入出力用集積回路１４０に内蔵されている入出力処理回路は、セレクト端子Ｓｉに、データ端子Ｄ１を示すセレクト信号が入力されると、データバス端子ＤＢｉとデータ端子Ｄ１を接続し、データバスＤＢＬ上のデータを、データバス端子ＤＢｉ及びデータ端子Ｄ１を介してデータ線ＤＬ１に出力する。
また、データ線ＤＬ２から主制御回路にデータを入力する場合には、主制御回路は、セレクト端子Ｓｃにデータ端子Ｄ２を示すセレクト信号を出力する。入出力用集積回路１４０に内蔵されている入出力処理回路は、セレクト端子Ｓｉに、データ端子Ｄ２を示すセレクト信号が入力されると、データ端子Ｄ２とデータバス端子ＤＢｉを接続し、データ線ＤＬ２上のデータを、データ端子Ｄ２及びデータバス端子ＤＢｉを介してデータバスＤＢＬに出力する。主制御回路は、データバスＤＢＬからデータバス端子ＤＢｃに入力されたデータを読み取る。
【００２２】
ところで、パチンコ機等の遊技機では、主制御回路を内蔵する主制御用集積回路１３０に識別情報を表示することが要求されている。
識別情報としては、図１に示すように、主制御用集積回路１３０の外周面（例えば、側面）に印刷等によって表示されている識別情報（図１では、「ＡＢ−０１」）１３２、制御用集積回路１３０の外周面（例えば、側面）に貼付されたシール１３３に印刷等によって表示されている識別情報（図１では、「ａｂｃｄ」）１３３ａが用いられる。
識別情報１３２としては、主制御用集積回路１３０（あるいは、主制御用集積回路１３０に内蔵されている主制御回路）の製造会社名や型番等が用いられ、識別情報１３３ａとしては、主制御用集積回路１３０が設けられている遊技機の製造会社や機種名や機種番号等が用いられる。
通常、図１及び図３に示すように、主制御用集積回路１３０の、入出力用集積回路１４０に対向する側の面（側面１３０ａ）に、識別情報１３２が印刷されるとともに、識別情報１３３ａが印刷されたシール１３３が貼付される。
このため、主制御用集積回路１３０に表示されている識別情報（１３２や１３３ａ）を確認することによって、主制御用集積回路１３０が不正な制御用集積回路に交換されていることを発見することができる。例えば、外観は正規の主制御用集積回路の外観に似せているが、正規の識別情報が表示されていないことを視認（確認）することによって、主制御用集積回路が不正な制御用集積回路に交換されていることを発見することができる。
主制御用集積回路１３０の外観や制御用集積回路１３０に表示されている識別情報の視認（確認）は、主制御基板１２０がケース１１０に収容されている状態で、ケース１１０の外部から行われる。
【００２３】
ここで、ＺＩＰ型（縦型）の主制御用集積回路１３０と入出力用集積回路１４０を、平行に接近させて主制御基板１２０の基板面１２０ａに配置した場合、入出力用集積回路１４０によって、主制御用集積回路１３０の、入出力用集積回路１４０に対向する側の面（側面１３０ａ）に表示されている識別情報（１３２や１３３ａ）をケース１１０の外部から視認するのが困難となる。すなわち、主制御用集積回路が不正な制御用集積回路に交換されたことを発見するのが困難となる。
そこで、本実施の形態では、主制御用集積回路１３０と入出力用集積回路１４０を、主制御用集積回路１３０と入出力用集積回路１４０との間に配設される接続線の抵抗による影響や接続線へのノイズの侵入による影響よりも、不正な制御用集積回路の発見の容易性（不正防止効果の向上）を優先している。
すなわち、主制御用集積回路１３０と入出力用集積回路１４０の間の距離Ｈを、ケース１１０が遊技機に取り付けられている状態で、主制御用集積回路１３０の、入出力用集積回路１４０に対向する側の面（側面１３０ａ）に表示されている識別情報（１３２や１３３ａ）を、ケース１１０の外部から視認可能となる距離に設定している。
【００２４】
「識別情報（１３２や１３３ａ）をケース１１０の外部から視認可能となる距離」として、係員等が、ケース１１０が遊技機に取り付けられている状態で、ケース１１０の外部から、通常の視認姿勢で、制御用集積回路１３０の側面１３０ａに表示されている識別情報（１３２や１３３ａ）全体を視認可能な距離に設定することにより、不正な制御用集積回路を容易に発見することができる。
しかしながら、接続線の抵抗による影響や接続線へのノイズの侵入による影響を軽減し、また、制御基板１２０の実装効率を高めるためには、主制御用集積回路１３０と入出力用集積回路１４０の間の距離は短い方がよい。また、主制御用集積回路１３０に表示されている識別情報は、その一部を視認することができれば識別情報全体を推定することができる。
したがって、主制御用集積回路１３０と入出力用集積回路１４０の間の距離は、係員等が、ケース１１０が遊技機に取り付けられている状態で、ケース１１０の外部から、通常の視認姿勢で、制御用集積回路１３０の側面１３０ａに表示されている識別情を視認した時に識別情報の一部を視認可能であり、且つ、視認した識別情報の一部に基づいて識別情報全体を推定可能な距離以上の距離に設定するのが好ましい。
このような距離に設定することにより、接続線の長さが長くなるのをできる限り抑制しながら、不正防止効果を高めることができる。
識別情報を視認可能な距離（識別情報全体を視認可能な距離あるいは識別情報全体を推定可能な一部の識別情報を視認可能な距離）は、ケース１１０が遊技機に取り付けられている位置や、ケース１１０の配設状態等によって異なる。
【００２５】
主制御用集積回路１３０に表示されている識別情報を視認可能な、主制御用集積回路１３０と入出力用集積回路１４０の距離は、例えば、横型の集積回路として形成された主制御用集積回路（横型の主制御用集積回路）を用いた場合の、基板上の実装面積に基づいて決定することができる。
すなわち、本実施の形態で用いているＺＩＰ型（縦型）の主制御用集積回路１３０と同じ数の端子（６４ピン）を有するＤＩＰ型（横型）の主制御用集積回路を主制御基板１２０に配置した場合の、主制御基板１２０上の実装面積（具体的には、横型の主制御用集積回路に取り付けられている端子の外周を覆う面積）に等しい領域を、ＺＩＰ型（縦型）の主制御用集積回路１３０の周囲に確保することができるように、主制御用集積回路１３０と入出力用集積回路１４０の距離を設定する。この領域には、配線パターン以外は配置されない。
通常、横型の主制御用集積回路を、実装面積の小さい縦型の主制御用集積回路に置き換えた場合には、縦型の主制御用集積回路を用いることによる効果を最大限に利用するために（すなわち、接続線を短くするとともに実装効率を高めるために）、縦型の主制御用集積回路の周囲には、横型の主制御用集積回路を主制御基板に配置した場合の実装面積より小さい領域しか確保されない。すなわち、主制御用集積回路と隣接する回路の間の距離は、できるだけ短い値に設定される。
本実施の形態では、接続線の長さが長くなり、また、実装効率が低下するのを許容し、不正防止効果を高めることを優先するため、縦型の主制御用集積回路を用いてはいるが、縦型の主制御用集積回路の周囲には、横型の主制御用集積回路を主制御基板に配置した場合の実装面積に等しい領域を確保している。
なお、「縦型の主制御用集積回路の周囲に、横型の主制御用集積回路を主制御基板に配置した場合の実装面積に等しい領域を確保する」方法としては、例えば、横型の主制御用集積回路と入出力用集積回路を平行に主制御基板上に配置した場合に、横型の主制御用集積回路が配置される領域（実装領域）の中央部に、縦型の主制御用集積回路の端子の配列方向が横型の主制御用集積回路の端子の配列方向と同じ方向となるように、縦型の主制御用集積回路を主制御基板に配置する。
主制御用集積回路１３０と入出力用集積回路１４０の間の距離をこのように設定することにより、主制御用集積回路１３０の入出力用集積回路１４０側の面に表示されている識別情報の視認が可能となるように、制御用集積回路と入出力用集積回路を容易に配置することができる。
【００２６】
「縦型の主制御用集積回路の周囲に、横型の主制御用集積回路を主制御基板に配置した場合の実装面積に等しい領域を確保可能な距離だけ離して主制御用集積回路１３０と入出力用集積回路１４０を主制御基板１２０に配置する」例を図５〜図7に示す。
図５は、主制御用集積回路１３０に対する不正防止効果の向上を目的とした配置例であり、図６及び図７は、主制御用集積回路１３０及び入出力用集積回路１４０に対する不正防止効果の向上を目的とした配置例である。
図５では、ＺＩＰ型の主制御用集積回路１３０と同じ端子の数（６４ピン）を有するＤＩＰの主制御用集積回路を主制御基板１２０に配置した場合の実装領域（左下がりのハッチングで示す領域）の中央部に、ＺＩＰ型の主制御用集積回路１３０を、ＺＩＰ型の主制御用集積回路１３０の端子の配列方向が、ＤＩＰ型の主制御用集積回路の端子の配列方向と同じ方向（図５では、長方形の実装領域の長辺方向である上下方向）となるように配置している。そして、ＺＩＰ型の主制御用集積回路１３０の周囲に、ＤＩＰ型の主制御用集積回路の実装領域を確保した状態で、入出力用集積回路１４０を配置している。ＤＩＰ型の主制御用集積回路の実装領域内には、配線パターン以外の構成要素は配置されていない。
これにより、主制御用集積回路１３０の入出力用集積回路１４０側の面に表示されている識別情報の視認が可能となる。また、主制御用集積回路１３０の周囲に不正な回路が配設されていることを容易に発見することができる。
なお、主制御用集積回路１３０と入出力用集積回路１４０の間の距離は、図５に示す距離以上であればよい。
【００２７】
図６では、主制御用集積回路１３０と同様に、ＺＩＰ型の入出力用集積回路１４０と同じ端子の数（６４ピン）を有するＤＩＰ型の入出力用集積回路を主制御基板１２０に配置した場合の実装領域（右下がりのハッチングで示す領域）の中央部に、ＺＩＰ型の入出力用集積回路１４０を、ＺＩＰ型の入出力用集積回路１４０の端子の配列方向が、ＤＩＰ型の入出力用集積回路の端子の配列方向と同じ方向（図６では、長方形の実装領域の長辺方向である上下方向）となるように配置している。図６では、主制御用集積回路１３０の、入出力用集積回路１４０側の周囲に確保する領域と、入出力用集積回路１４０の、主制御用集積回路１３０側の周囲に確保する領域を重複させている。
図６では、ＤＩＰ型の主制御用集積回路の実装領域及びＤＩＰ型の入出力用集積回路の実装領域内には、配線パターン以外の構成要素は配置されていない。
これにより、主制御用集積回路１３０の入出力用集積回路１４０側の面に表示されている識別情報の視認や入出力用集積回路１４０の主制御用集積回路１３０側の面に表示されている識別情報の確認が可能となる。また、主制御用集積回路１３０の周囲や入出力用集積回路１４０の周囲に不正な回路が配設されていることを容易に発見することができる。
通常、６４ピン構造のＤＩＰ型の主制御用集積回路と入出力用集積回路の実装面積はほぼ等しく、また、６４ピン構造の縦型の主制御用集積回路と入出力用集積回路の実装面積はほぼ等しい。このため、図６に示すように、主制御用集積回路１３０の、入出力用集積回路１４０側の周囲に確保する領域と、入出力用集積回路１４０の、主制御用集積回路１３０側の周囲に確保する領域をほぼ１００％重複させることができる。この場合、主制御用集積回路１３０と入出力用集積回路１４０の間の距離を短くすることができ、主制御基板１２０の実装効率を高めることができ。
なお、主制御用集積回路１３０と入出力用集積回路１４０の間の距離は、図６に示す距離以上であればよい。
【００２８】
また、主制御用集積回路１３０と入出力用集積回路１４０の間に配置されるデータバスにプルアップ用あるいはプルダウン用の抵抗アレイを配置する必要がある場合がある。
この場合、不正防止効果の向上に対する要求が高い主制御用集積回路１３０の周囲に確保する領域内には抵抗アレイを配置しない。すなわち、図７に示すように、主制御用集積回路１３０の領域（左下がりのハッチングで示す、横型の主制御用集積回路の実装領域）より入出力用集積回路１４０側に、少なくとも抵抗アレイ１２５を配置するのに必要な距離Ｗだけ重ならない状態で、入出力用集積回路１４０の領域（右下がりのハッチングで示す、横型の入出力用集積回路の実装領域）が確保されるように、主制御用集積回路１３０と入出力用集積回路１４０の間の距離を設定する。
なお、主制御用集積回路１３０と入出力用集積回路１４０の間の距離は、図７に示す距離以上であればよい。
また、主制御用集積回路１３０の領域と入出力用集積回路１４０の領域が、抵抗アレイ１２５を配置するのに必要な距離Ｗだけ離れた位置に配置されるように、主制御用集積回路１３０と入出力用集積回路１４０の間の距離を設定することもできる。
【００２９】
また、縦型の主制御用集積回路１３０と入出力用集積回路１４０を平行に近接して配置した場合、主制御用集積回路１３０と入出力用集積回路１４０が壁となり、主制御用集積回路１３０と入出力用集積回路１４０の間に不正回路が配設されていることを発見するのが困難である。
本実施の形態では、主制御用集積回路１３０と入出力用集積回路１３０の間の距離を、主制御用集積回路１３０の入出力用集積回路１４０側の面に表示されている識別情報を視認可能な距離に設定することにより、不正な主制御用集積回路が配設されていることを容易に発見することができるとともに、平行に配置された縦型の主制御用集積回路１３０と入出力用集積回路１４０の間に不正な回路が配設されたことも容易に発見することができる。
【００３０】
主制御基板１２０には、主制御用集積回路１３０に内蔵されている主制御回路の動作用のクロック信号を発生する発振器１２２が配置されている。
ここで、主制御用集積回路１３０と入出力用集積回路１４０の間に配設されているデータバスＤＢＬには多くの入出力信号が流れるため、データバスＤＢＬにノイズが侵入すると主制御回路や外部機器が誤動作する恐れがある。
そこで、本実施の形態では、発振器１２２から発生するノイズがデータバスＤＢＬに侵入するのを防止するように発振器１２２を配置している。
すなわち、図２に示すように、発振器１２２を、主制御用集積回路１３０を挟んで入出力用集積回路１４０と反対側に配置している。また、主制御用集積回路１３０の、入出力用集積回路１４０と対抗する側と反対側の端子列１３１ｂにクロック端子ＣＬｃ（端子番号５６〜５９の端子の組）を設けている。そして、発振器１２２とクロック端子ＣＬｃを、クロック線（配線パターン）ＣＬによって接続している。
このように、発振器１２２とデータバスＤＬＢを離して配置しているため、発振器１２２から発生するノイズがデータバスＤＢＬに侵入するのを防止することができ、データバスＤＢＬを流れるデータにノイズが混入するのを防止することができる。
なお、発振器１２２の端子とクロック端子ＣＬｃが対向するように、発振器１２２の配置位置あるいはクロック端子ＣＬｃの配設位置を設定するのが好ましい。これにより、クロック線ＣＬの長さを短くすることができる。
【００３１】
また、主制御基板１２０には、外部機器から出力されるデータを入出力用集積回路１４０のデータ端子に入力し、あるいは、入出力用集積回路１４０のデータ端子から出力されるデータを外部機器に出力するために、外部機器に接続された接続端子を有するプラグ（接続部材）が挿入可能なソケット１２１が配置されている。図１及び図２では、ソケット１２１が１つしか記載されていないが、通常、ソケット１２１は複数設けられる。
本実施の形態では、ソケット１２１を、入出力用集積回路１４０を挟んで主制御用集積回路１３０と反対側に配置している。これにより、入出力用集積回路１４０のデータ端子とソケット１２１に設けられている接続端子との間のデータ線の長さを短くすることができる。
また、ソケット１２１の接続端子の配列方向が入出力用挿入部列１２０ＩＯａ及び１２０ＩＯｂの配列方向と平行になるように、すなわち、ソケット１２１と入出力用集積回路１４０が平行に配置されるように、ソケット１２１が主制御基板１２０に配置されている。これにより、入出力用集積回路１４０のデータ端子が挿入（接続）される入出力挿入部１２０ＩＯとソケット１２１の接続端子の間、したがって、入出力用集積回路１４０のデータ端子とソケット１２１の接続端子の間のデータ線の長さを短くすることができる。
なお、ソケット１２１と入出力用集積回路１４０が主制御基板１２０に配置された状態で、ソケット１２１の接続端子と、入出力用集積回路１４０のデータ端子が挿入（接続）される入出力挿入部１２０ＩＯ（入出力用挿入部列１４１ａの入出力用挿入部）が対向するようにソケット１２１の配置位置あるいは入出力用集積回路１４０における入出力用挿入部の配設位置を設定することにより、出力用集積回路１４０のデータ端子とソケット１２１の接続端子の間のデータ線の長さをさらに短くすることができる。
【００３２】
ところで、パチンコ機では、主制御用集積回路に対する不正だけでなく、主制御回路に入力される入力データに対する不正、例えば、不正な入力信号を出力可能な不正回路を設ける不正が行われことがある。
このため、入出力用集積回路１４０とソケット１２１の間の距離Ｋを長くして、入出力用集積回路１４０とソケット１２１との間の領域に不正な入力信号を出力する不正回路が設けられていることを容易に発見できるようにするのが好ましい。本実施の形態では、入出力用集積回路１４０とソケット１２１の間の距離Ｋを、主制御用集積回路１３０と入出力用集積回路１４０との間の距離Ｈより大きい距離に設定している。
ソケット１２１には、入出力用集積回路１４０のデータ端子Ｄ１やＤ２に接続されているデータ線ＤＬ１やＤＬ２が接続される接続端子が設けられている。また、ケース１１０の、ソケット１２１に対応する箇所に孔１１１が設けられている。孔１１１にプラグ（接続部材）を挿入することによって、プラグの端子がソケットの接続端子に接続される。
なお、ソケット１２１の接続端子がデータ端子と対向するようにソケット１２１の配置位置あるいはデータ端子の配設位置を設定するのが好ましい。
この場合には、不正な回路の発見の容易性を高める（不正防止効果を高める）ために入出力用集積回路１４０とソケット１２１を離して配置することにより、入出力用集積回路１４０のデータ端子とソケット１２１の接続端子の間に配設されるデータ線の長さが長くなるのを抑制することができる。
【００３３】
主制御用集積回路１３０や入出力用集積回路１４０から（詳しくは、主制御用集積回路１３０や入出力用集積回路１４０に内蔵されている構成要素から）ノイズが発生する場合がある。主制御用集積回路１３０や入出力用集積回路１４０から発生したノイズが外部に放出されると、外部機器（主制御基板１２０に配置されている電気回路を含む）が誤動作する恐れがある。
本実施の形態では、主制御用集積回路１３０や入出力用集積回路１４０から発生したノイズが外部に放出されるのを防止するために、主制御用集積回路１３０や入出力用集積回路１４０の下方の基板面に接地線を配設している。
主制御用集積回路１３０の下方に接地線を配設する構成を、図８〜図１０を用いて説明する。なお、図９は、図８のＩＸ線矢視図（平面図）であり、図１０は、図９のＸ−Ｘ線断面図である。
【００３４】
前述したように、ＺＩＰ型（縦型）の主制御用集積回路１３０の、基板面１２０ａと対向する面（底面）１３０ｃには、端子１３１が長辺方向にジグザグ状に交互に配列されている。これにより、端子１３１の先端部によって、２列の端子列１３１ａ及び１３１ｂが形成されている。また、主制御基板１２０には、主制御用集積回路１３０の端子１３１が挿入可能（接続可能）な主制御用挿入部１２０ＣＰＵが設けられている。制御用挿入部１２０ＣＰＵは、主制御用集積回路１３０の２列の端子列１３１ａ及び１３１ｂに対応する２列の主制御用挿入部列１２０ＣＰＵａ及び１２０ＣＰＵｂを有している。これにより、主制御用集積回１３０が主制御基板１２０に配置された状態では、最も大きい面積を有する面（図１０では、側面１３０ａ、１３０ｂ）が主制御基板１２０の基板面（実装側基板面）１２０ａから立ち上がるように配置される。
【００３５】
また、主制御基板１２０の基板面１２０ａ（実装側基板面）及び基板面１２０ｂ（反実装側基板面）の、主制御用集積回路１３０の底面１３０ｃに対向する箇所に接地線１２０Ｇｆ及び１２０Ｇｂが配設されている。
すなわち、図１０に示すように、主制御基板１２０には、基板面１２０ａと１２０ｂを貫通し、主制御用集積回路１３０の端子１３１により形成される２列の端子列１３１ａ及び１３１ｂに対応する２列の主制御用挿入部列１２０ＣＰＵａ及び１２０ＣＰＵｂを形成する主制御用挿入部１２０ＣＰＵが設けられている。
そして、基板面１２０ａ及び１２０ｂには、２列の主制御用挿入部列１２０ＣＰＵａと１２０ＣＰＵｂの間に、主制御用挿入部列１２０ＣＰＵａ及び１２０ＣＰＵｂの配列方向に沿って接地線１２０Ｇｆ及び１２０Ｇｂが直線状に配設されている。
本実施の形態では、接地線１２０Ｇｆ及び１２０Ｇｂとして、主制御基板１２０の基板面１２０ａ及び１２０ｂに配設され、主制御基板１２０の接地端子に接続されている配線パターンを用いている。なお、主制御用集積回路１３０の端子１３１には接地端子が含まれており、この接地端子は、接地線１２０Ｇｆ及び１２０Ｇｂに接続される。
接地線１２０Ｇｆ及び１２０Ｇｂの配設位置は、２列の主制御用挿入部列１２０ＣＰＵａと１２０ＣＰＵｂの間の中央部が好ましいが、２列の制御用挿入部列１２０ＣＰＵａと１２０ＣＰＵｂの間であればよい。また、接地線１２０Ｇｆ及び１２０Ｇｂは直線状でなくてもよい。
本実施の形態では、入出力用集積回路１４０に対しても同様の接地線１２０Ｈｆ及び１２０（図示省略）を設けている。
なお、接地線は、主制御用集積回路１３０あるいは入出力用集積回路１４０のいずれか一方に対してのみ設けてもよい。また、主制御基板１２０の基板面１２０ａ（実装側基板面）あるいは基板面１２０ｂ（半実装側基板面）の一方側のみに設けてもよい。この場合でも、回路から発生するノイズが外部に放出するのを防止することができる。
【００３６】
なお、主制御用集積回路１３０の端子列１３１ａと１３１ｂの間（すなわち、制御用挿入部列１２０ＣＰＵａと１２０ＣＰＵｂの間）あるいは入出力用集積回路１４０の端子列１４１ａと１４ｂの間（すなわち、入出力用挿入部列１２０ＩＯａと１２０ｉｏｂの間）に不正な回路が配設される場合がある。
本実施の形態では、主制御基板１２０の基板面１２０ａの、主制御用集積回路１３０の端子列１３１ａと１３１ｂの間あるいは入出力用集積回路１４０の端子列１４１ａと１４ｂの間に接地線１２０Ｇｆ、１２０Ｈｆが配設されている。
このため、主制御用集積回路１３０の端子列１３１ａと１３１ｂの間あるいは入出力用集積回路１４０の端子列１４１ａと１４ｂの間に不正な回路が配設されるのを防止することができる。また、不正な回路が配設された場合でも、不正な回路が配設されたことを容易に発見することができる。
【００３７】
本実施の形態では、主制御用集積回路１３０と外部機器（主制御基板に配置されている他の電気回路を含む）との間に入出力用集積回路１４０を設けているため、主制御用集積回路１３０と外部機器との接続状態の変更や外部機器の数の増減に対して安価に容易に対応することができ、主制御用集積回路１３０の汎用性を高めることができる。
また、主制御用集積回路１３０と入出力用集積回路１４０として縦型（ＺＩＰ型）の集積回路を用いているため、主制御用集積回路１３０や入出力用集積回路１４０が不正な制御用集積回路や不正な入出力用集積回路に交換されたこと、主制御用集積回路や入出力用集積回路と主制御基板との間に不正な回路が設けられていることを容易に発見することができ、不正防止効果を高めることができる。同時に、主制御用集積回路１３０と入出力用集積回路１４０の主制御基板１２０上での実装面積を低減することができるため、主制御基板１２０の実装効率を高めることができる。
さらに、縦型（ＺＩＰ型）の主制御用集積回路１３０と入出力用集積回路１４０を、主制御用集積回路１３０の、入出力用集積回路１４０と対向する側の面に表示されている識別情報を、主制御基板１２０を収容したケース１１０を遊技機に取り付けた状態で、ケース１１０の外部から視認可能となるように離して平行に主制御基板１２０に配置しているため、主制御用集積回路１３０と入出力用集積回路１４０の間に配設されるデータバスの長さが長くなる量を最小限に抑えながら、外観を正規の主制御用集積回路に似せているが正規の識別情報が表示されていない不正な制御用集積回路が設けられていることを容易に発見することができる。これにより、主制御用集積回路１３０と入出力用集積回路との間に配設されるデータバスの抵抗による影響やデータバスへのノイズの侵入を最小限に抑えながら、不正防止効果をより高めることができる。さらに、主制御用集積回路１３０と入出力用集積回路１４０の間に不正な回路が設けられたことを容易に発見することができる。
また、入出力用集積回路１４０を主制御用集積回路１３０より、主制御基板１２０の基板面１２０ａの中心部側に配置しているため、入出力用集積回路１４０と他の電気回路の間に配設される接続線を短くすることができる。
また、主制御用集積回路１３０、入出力用集積回路１４０、ソケット１２１を、主制御基板１２０の長方形の基板面１２０ａの長辺方向に沿って（長辺に平行に）配置しているため、主制御基板１２０の実装効率を高めることができる。
また、外部機器と接続されるソケット１２１を、入出力用集積回路１４０を挟んで主制御用集積回路１３０と反対側に、主制御用集積回路１３０と入出力用集積回路１４０との間の距離より長い距離だけ離して入出力用集積回路１４０に平行に配置しているため、入出力用集積回路１４０とソケット１２１の間に不正な回路が設けられたことを容易に発見することができ、不正防止効果を高めることができる。
また、主制御回路の動作用クロック信号を出力する発振器１２２を、主制御用集積回路１３０を挟んで入出力用集積回路１４０と反対側に配置しているため、発振器１２２から発生するノイズが、主制御回路用集積回路１３０と入出力用集積回路１４０の間に配設されるデータバスに侵入するのを防止することができる。
また、主制御用集積回路１３０及び入出力用集積回路１４０の少なくとも一方の、主制御基板１２０に対向する面（底面１３０ｃ）に対向する主制御基板１２０の箇所には、主制御基板１２０の基板面１２０ａ及び１２０ｂの少なくとも一方に接地線１２０Ｇｆ及び１２０Ｇｂが配設されているため、主制御用集積回路１３０や入出力用集積回路１４０から発生するノイズが接地線１２０ａ及び１２０ｂに流れる。これにより、主制御用集積回路１３０や入出力用集積回路１４０から発生するノイズの外部への放出を防止することができ、外部機器（主制御基板１２０に配置されている他の電気回路を含む）の誤動作等を防止することができる。さらに、主制御用集積回路１３０の端子列の間あるいは入出力用集積回路１４０の端子列の間に不正な回路が設けられるのを防止することができる。
なお、本実施の形態は、主制御用集積回路１３０と入出力用集積回路１４０が、縦型の集積回路として形成され、主制御用集積回路１３０の、入出力用集積回路１４０と対向する面に表示されている識別情報をケース１１０の外部から視認可能に平行に離して配置されている構成を備えていればよく、他の構成要素は適宜選択可能である。勿論、他の構成要素を付加することによって、種々の効果を得ることができる。
【００３８】
以上の実施の形態では、主制御用集積回路１３０の、入出力用制御基板１４０に対向する側の端子列１３１ａにおけるデータバス端子ＤＢｃと、入出力用集積回路１４０の、主制御用集積回路１３０に対向する側の端子列１４１ｂにおけるデータバス端子ＤＢｉの長辺方向の配設位置が略同じ場合について説明したが、主制御用集積回路１３０のデータバス端子ＤＢｃの長辺方向の配設位置と、入出力用集積回路１４０のデータバス端子ＤＢｉの長辺方向の配設位置が異なる場合がある。
以下に、このような場合でも、主制御用集積回路１３０と入出力用集積回路１４０との間に配設される接続線の長さを長くすることなく、不正防止効果を高めることができる第２の実施の形態を説明する。
第２の実施の形態の要部の斜視図を図１１に示し、平面図を図１２に示す。
【００３９】
本実施の形態では、図１２に示すように、主制御用集積回路１３０の、入出力用集積回路１４０と対向する側の端子列１３１ａにおけるデータバス端子ＤＢｃ（長辺方向の配設位置）と、入出力用集積回路１４０の、主制御用集積回路１３０と対向する側の端子列１４１ｂにおけるデータバス端子ＤＢｉの配設位置（長辺方向の配設位置）が異なっている。すなわち、主制御用集積回路１３０では、端子列１３１ａの端子番号１５〜２２の端子の組がデータバス端子ＤＢｃとして設定されている。また、入出力用集積回路１４０では、端子列１４１ｂの端子番号４４〜５１の端子の組がデータバス端子ＤＢｉとして設定されている。
本実施の形態では、図１２に示すように、主制御用集積回路１３０及び入出力用集積回路１４０が主制御基板１２０に配置された時に、主制御用集積回路１３０のデータバス端子ＤＢｃと入出力用集積回路１４０のデータバス端子ＤＢｉが対向するように、主制御用集積回路１３０あるいは入出力用集積回路１４０の配置位置を平行方向にずらせている。すなわち、前述した実施の形態では、主制御用集積回路１３０入出力用集積回路１４０は、平行方向の配置位置が一致（略一致を含む）している（平行方向の両端部の位置が一致している）が、本実施の形態では、平行方向の配置位置がずれている（一方の集積回路の平行方向の一方の端部が、他方の集積回路の平行方向の両端部の間に配置されている）。
例えば、入出力用集積回路１４０の端子１４１が挿入（接続）される入出力用挿入部１２０ＩＯを、主制御用集積回路１３０の端子１３１が挿入（接続）される主制御用挿入部１２０ＣＰＵに対して、図１１に示す矢印の方向（平行方向）に距離Ｓだけずらす。平行方向にずらせる量は、データバス端子ＤＢｃの長辺方向における配設位置とデータバス端子ＤＢｉの長辺方向における配設位置とのずれ量に応じて設定される。
これにより、主制御用集積回路１３０のデータバス端子ＤＢｃと入出力用集積回路１４０のデータバス端子ＤＢｉを接続するデータバス（制御用集積回路１３０と入出力用集積回路１４０との間に配設されるデータバス）ＤＢＬの長さを短くすることができる。
【００４０】
ところで、主制御用集積回路１３０と入出力用集積回路１４０を平行方向にずらせて配置した場合、図１１に示すように、主制御用集積回路１３０の、入出力用集積回路１４０と対向する側の面（側面１３０ａ）に、入出力用集積回路１４０と対向しない箇所が発生する。すなわち、主制御用集積回路１３０の側面１２０ａを入出力用集積回路１３０側から見たとき、入出力用集積回路１４０と重ならない箇所が発生する。
この場合、主制御用集積回路１３０の、入出力用集積回路１４０と対向する側の側面１３０ａの、入出力用集積回路１４０と対向しない箇所（入出力用集積回路１４０と重ならない箇所）に表示されている識別情報（図１１では、シール１３３に表示されている識別情報１３３ａ）は、ＺＩＰ型（縦型）の主制御用集積回路１３０及び入出力用集積回路１４０が平行に主制御基板１２０に配置されていても、主制御基板１２０を収容したケースＩ１０が遊技機に取り付けられている状態で、ケース１１０の外部から容易に視認することができる。
したがって、主制御用集積回路１３０と入出力用集積回路１４０を平行方向にずらせて配置した場合には、ずらせて配置しない場合に比べて、主制御用集積回路１３０の側面１３０ａに表示されている情報識別を視認可能な、主制御用集積回路１３０と入出力用集積回路１４０との間の距離Ｈの最小距離を短くすることができる。すなわち、主制御用集積回路１３０と入出力用集積回路１４０との間に配設される接続線の長さをより短くすることができる。
【００４１】
なお、主制御用集積回路１３０の側面１３０ａに表示される識別情報１３２の表示位置や主制御用集積回路１３０の側面１３０ａに貼付されるシール１３３の貼付位置を変更可能である場合には、主制御用集積回路１３０と入出力用集積回路１４０を平行方向にずらせて配置した時に、主制御用集積回路１３０の側面１３０ａの、入出力用集積回路１４０と対向しない箇所に識別情報１３２を表示し、あるいは、シール１３３を貼付する方法を用いてもよい。
この場合、識別情報１３２あるいはシール１３３に表示されている識別情報１３３ａの視認結果から識別情報１３２あるいは１３３ａの全体を推定可能な範囲内において、識別情報１３２あるいは１３３ａの一部を入出力用集積回路１４０と対向しない箇所に表示してもよい。
この方法を用いると、主制御用集積回路１３０と入出力用集積回路１４０の平行方向のずれ量が変更された場合でも、ずれ量に応じて識別情報１３２の表示位置やシール１３３の貼付位置を変更することにより、主制御用集積回路１３０と入出力用集積回路１４０を平行方向にずらせて配置しない場合に比べて、主制御用集積回路１３０と入出力用集積回路１４０との間の距離を短くしながら、識別情報の視認性を確保することができる。
【００４２】
また、前記とは逆に、主制御用集積回路１３０の、入出力用集積回路１４０と対向する側の面（側面１３０ａ）に表示されている識別情報（１３２あるいは１３３ａ）の少なくとも一部が、入出力用集積回路１４０と対向しない箇所に配置されるように主制御用集積回路１３０と入出力用集積回路１４０を平行方向にずらせ、この状態で対向する位置にある主制御用集積回路１３０の端子１３１及び入出力用集積回路１４０の端子１４１をデータバス端子として用いるようにすることもできる。「識別情報の少なくとも一部」は、識別情報の一部によって識別情報全体を推定可能な部分を意味する。
また、必ずしも、主制御用集積回路１３０と入出力用集積回路１４０を平行方向にずらせて配置した状態で、対向する位置にある主制御用集積回路１３０の端子１３１及び入出力用集積回路１４０の端子１４１をデータバス端子として用いる必要はない。
このような構成を用いることによっても、平行に配置された縦型の主制御用集積回路１３０と入出力用集積回路１４０を用いた場合に、主制御用集積回路１３０の入出力用集積回路側の面に表示されている識別情報を視認することができ、主制御用集積回路１３０と入出力用集積回路１４０との間の距離を短くしながら、識別情報の視認性を確保することができる。
【００４３】
なお、主制御用集積回路１３０と入出力用集積回路１４０を平行方向にずらせる技術と第１の実施の形態で用いている各技術のいずれかあるいは複数を組み合わせることもできる。この場合には、主制御用集積回路１３０の、入出力用集積回路対向する側の面に表示されている識別情報をより容易に、確実に視認することができきる。
【００４４】
ところで、前述した実施の形態では、主制御用集積回路１３０及び入出力用集積回路１４０として、同じ外形形状を有し、端子の数及び配置形状が同じである集積回路を用いている。このため、主制御用集積回路の端子が挿入（接続）される主制御用挿入部と入出力用集積回路の端子が挿入（接続）される入出力用挿入部が同じ配置形状となり（２列の主制御用挿入部列により形成される主制御用集積回路取付部と２列の入出力用挿入部列により形成される入出力用集積回路取付部が同じ外観となり）、主制御用集積回路１３０と入出力用集積回路１４０を間違えて配置する可能性がある。例えば、主制御用集積回路１３０の端子１３１を、入出力用集積回路１４０の端子１４１が挿入され入出力用挿入部１２０ＩＯに誤挿入する恐れがある。
このような場合、従来では、作業員は、集積回路に表示されている識別情報（例えば、製造会社名や型番等）を視認することによって、集積回路が主制御用集積回路１３０であるか入出力用集積回路１４０であるかを判別し、集積回路の配置位置を判別している。
【００４５】
しかしながら、集積回路に表示されている識別情報を視認する方法は、面倒であり、また、視認ミスが発生する可能性がある。
そこで、以下に、このように同じ外径形状を有している制御用集積回路１３０と入出力用集積回路の配置位置を確実に判別することができる第３の実施の形態を説明する。
本実施の形態の要部の斜視図を図１３に示す。
【００４６】
本実施の形態では、前述した実施の形態と同様に、主制御用集積回路１３０及び入出力用集積回路１４０として、同じ外形形状を有し、端子１３１と１４１の数及び配置形状が同じである、ＺＩＰ型（縦型）の集積回路を用いている。すなわち、主制御用集積回路１３０には、主制御基板１２０と対向する側の面（底面１３０ｃ）の長辺方向にジグザグ状に交互に配置された端子１３１により２列の端子列１３１ａ及び１３１ｂが形成されている。また、入出力用集積回路１４０には、主制御基板１２０と対向する側の面の長辺方向にジグザグ状に交互に配置された端子１４１により２列の端子列１４１ａ及び１４１ｂが形成されている。（図１４参照）
また、主制御基板１２０には、主制御用集積回路１３０の端子１３１が挿入され、端子列１３１ａ及び１３１ｂに対応する主制御用挿入部列１２０ＣＰＵａ及び１２０ＣＰＵｂを有する主制御用挿入部１２０が設けられているとともに、入出力用集積回路１４０の端子１４１が挿入され、端子列１４１ａ及び１４１ｂに対応する入出力用挿入部列１２０ＩＯａ及び１２０ＩＯｂを有する入出力用挿入部１２０ＩＯが設けられている。（図１４参照）
そして、主制御用集積回路１３０の端子１３１の配置形状と入出力用集積回路１４０の端子１４１の配置形状、したがって、主制御用挿入部１２０ＣＰＵの配置形状と入出力用挿入部１２０ＩＯの配置形状が同じになるように構成されている。
【００４７】
本実施の形態では、同じ外形形状を有する主制御用集積回路１３０と入出力用集積回路１４０を判別可能とすることによって主制御用集積回路１３０及び入出力用集積回路１４０の配置位置を容易に判別可能とするために、図１３に示すように、主制御用集積回路１３０と入出力用集積回路１４０に異なる色を表示している。
主制御用集積回路１３０と入出力用集積回路１４０に表示する色を変える方法としては、全体の色を変える方法や、所定の箇所の色を変える方法等を用いることができる。所定の箇所としては、作業員等が容易に視認することができる箇所、例えば、主制御用集積回路１３０や入出力用集積回路１４０の上面（反基板面側の面）を選択するのが好ましい。
また、主制御用集積回路１３０と入出力用集積回路１４０の全体あるいは部分の模様を変える方法を用いることができる。模様を変える態様には、一方を無地とし、他方に模様を表示する態様が含まれる。模様は色によって構成されているため、表示する模様を変える方法は、表示する色を変える概念に含まれる。
異なる色や異なる模様としては、作業員等が一瞥して判別可能な色や模様を用いるのが好ましい。
【００４８】
本実施の形態では、同じ外形形状を有する主制御用集積回路１３０と入出力用集積回路１４０の色を変えている。
このため、作業員等は、集積回路の色を視認するのみで、集積回路が主制御用集積回路１３０であるか入出力用集積回路１４０あるかを簡単に、確実に判別することができる。したがって、端子や挿入部の数や配置状態が同じ場合でも、集積回路の配置位置を間違えることがない。
【００４９】
以上の実施の形態では、主制御用集積回路と入出力用集積回路に表示する色を変えたが、さらに、主制御基板の基板面の、主制御用挿入部が設けられている近傍及び入出力用挿入部が設けられている近傍に、それぞれ主制御用集積回路及び入出力用集積回路と同じ色を表示してもよい。
以下に、主制御用集積回路及び主制御用挿入部の近傍に表示する色と入出力用集積回路及び入出力用挿入部の近傍に表示する色を変えた第４の実施の形態を説明する。
本実施の形態の要部の斜視図を図１４に示す。
【００５０】
本実施の形態では、第３の実施の形態と同様に、主制御用集積回路１３０及び入出力用集積回路１４０として、同じ外形形状を有するＺＩＰ型（縦型）の集積回路を用いている。また、主制御用集積回路１３０の端子１３１及び入出力用集積回路１４０の端子１４１、主制御用挿入部１２０ＣＰＵ及び入出力用挿入部１２０ＩＯの数及び配置形状は同じである。
また、第３の実施の形態と同様に、主制御用集積回路１３０及び入出力用集積回路１４０には、異なる色が表示されている。例えば、主制御用集積回路１３０及び入出力用集積回路１４０の全体あるいは一部に異なる色が表示されている。
さらに、主制御基板１２０の基板面（実装側基板面）１２０ａに設けられている、主制御用集積回路１３０の端子１３１が挿入される主制御用挿入部１２０ＣＰＵの近傍に主制御用表示部（ＣＰＵ用表示部）が表示されているとともに、入出力用集積回路１４０の端子１４１が挿入される入出力用挿入部１２０ＩＯの近傍に入出力用表示部（ＩＯ用表示部）が表示されている。本実施の形態では、主制御用挿入部１２０ＣＰＵ全体を覆う領域をＣＰＵ用表示部とし、入出力用挿入部１２０ＩＯ全体を覆う領域をＩＯ用表示部としている。
ＣＰＵ用表示部を表示する主制御用挿入部１２０ＣＰＵの近傍や、ＩＯ用表示部を表示する入出力用挿入部１２０ＩＯの近傍は、挿入部が制御用挿入部１２０ＣＰＵであることあるいは入出力用挿入部１２０ＩＯであることを判別可能であれば適宜設定することができる。例えば、主制御用接続部１２０ＣＰＵや入出力用接続部１２０ＩＯから離れている位置、主制御用接続部１２０ＣＰＵや入出力用接続部ＩＯの一部あるいは全部を含む領域を設定することができる。
そして、ＣＰＵ用表示部には、主制御用集積回路１３０に表示されている色と同じ色が表示され、ＩＯ用表示部には、入出力用集積回路１４０に表示されている色と同じ色が表示されている。
なお、前述したように、異なる模様を表示する態様は、異なる色を表示する概念に含まれる。
【００５１】
本実施の形態では、集積回路に表示されている色とＣＰＵ用表示部及びＩＯ用表示部に表示されている色を対比するのみで、すなわち、集積回路に表示されている色と同じ色が表示されているＣＰＵ用表示部あるいは入出力用表示部を判別するのみで、集積回路を容易に、確実に正しい配置位置に配置することができる。
したがって、集積回路の端子や端子を挿入する挿入部の数や配置状態が同じ場合でも、主制御用集積回路１３０と入出力用集積回路１４０の配置位置を間違えることがない。
【００５２】
同じ外形形状を有する主制御用集積回路１３０と入出力用集積回路１４０の配置位置を判別可能に構成する方法としては、他の種々の方法を用いることができる。
例えば、主制御用集積回路１３０の端子１３１と入出力用集積回路１４０の端子１４１の数や配置状態の少なくとも一方を変える。また、端子１３１と１４１の数や配置状態を変えることに伴って、端子１３１が挿入される制御用挿入部１２０ＣＰＵと端子１４１が挿入される入出力用挿入部１２０ＩＯの数や配置状態を端子１３１と１４１の数や配置状態に合わせる。端子の配置態様としては、例えば、台形状に配置する態様を用いることができる。
なお、以上の実施の形態で用いた技術は、同じ基板に配置される同じ外形形状を有する主制御用集積回路と入出力用集積回路の配置位置を判別するため、さらには、同じ基板に配置される同じ外形形状を有する複数の構成要素の配置位置を判別するために用いることができる。
【００５３】
本発明は、前述した実施の形態で説明した構成に限定されず、種々の変更、追加、削除が可能である。
例えば、本発明の遊技機は、前記各実施の形態で説明した各構成の全てを備える必要はなく、各実施の形態で説明した各構成の中から適宜選択した構成を備えるものであってもよい。
また、縦型の集積回路としては、基板に最も近い面(基板側に配置される面)が最も大きい面積を有する面とならないように基板に配置されるものであればよい。
また、パチンコ機について説明したが、本明細書に記載されている技術は、パチンコ機以外の種々の遊技機に適用することができる。
【００５４】
本発明は、以下のように構成することもできる。
例えば、「（態様１）第1のセレクト端子及び第1のデータバス端子を含む端子を有し、遊技機の動作を制御する制御回路を内蔵する制御用集積回路と、前記制御用集積回路の第1のセレクタ端子及び第1のデータバス端子に接続される第２のセレクト端子及び第２のデータバス端子と複数のデータ端子を含む端子を有し、前記第２のセレクト端子に入力されたセレクト信号に基づいて、前記第２のデータバス端子と前記複数のデータ端子との接続を制御する入出力処理回路を内蔵する入出力用集積回路と、前記制御用集積回路及び前記入出力用集積回路が配置される制御基板と、前記制御用集積回路及び前記入出力用集積回路が配置された前記制御基板を収容するケースを備え、前記制御用集積回路及び前記入出力用集積回路は、縦型の集積回路として形成されているとともに、平行に前記制御基板に配置されており、前記制御用集積回路の、前記入出力用集積回路と対向する側の面には識別情報が表示されており、前記制御用集積回路と前記入出力用集積回路の距離は、前記制御用集積回路の、前記入出力用集積回路と対向する側の面に表示されている識別情報を、前記ケースの外部から視認可能な距離に設定されている、ことを特徴とする遊技機。」として構成することができる。
本態様は、第1のセレクト端子及び第1のデータバス端子を含む端子を有する制御用集積回路と、第1のセレクタ端子及び第1のデータバス端子に接続される第２のセレクト端子及び第２のデータバス端子と複数のデータ端子を含む端子を有する入出力用集積回路と、制御基板と、制御基板を収容するケースを備えている。
制御用集積回路及び入出力用集積回路は、縦型の集積回路として形成されているとともに、平行に制御基板に配置されている。
そして、制御用集積回路の、入出力用集積回路と対向する側の面には識別情報が表示されており、制御用集積回路と入出力用集積回路の距離が、制御用集積回路に表示されている識別情報を、ケースの外部から視認可能な距離に設定されている。
「縦型の集積回路」は、基板側に配置される面が最も大きい面積を有する面とならないように基板に配置される集積回路を意味する。このような集積回路は、典型的には、ＺＩＰ型等の縦型の集積回路である。
「制御用集積回路と入出力用集積回路が平行に配置される」という記載は、制御用集積回路の端子列の配列方向と入出力用集積回路の端子列の配列方向が平行になるように、制御用集積回路と入出力用集積回路が配置される構成を意味する。「制御用集積回路と入出力用集積回路を平行に配置する」態様は、制御用集積回路と入出力用集積回路が、平行方向に少なくとも一部が重なるように配置する態様を意味する。縦型の制御用集積回路と入出力用集積回路を用いる場合には、最も大きい面積を有する面が平行になるように配置される。
なお、「平行に配置される」構成には、略平行に配置される構成も含まれる。
「制御用集積回路に表示されている識別情報」は、例えば、制御用集積回路に印刷されているあるいは制御用集積回路に貼付されているラベルに印刷されている、当該制御用集積回路あるいは当該制御用集積回路に内蔵されている制御回路の型番を示す文字等の情報を含む。
「制御用構成要素と入出力用構成要素が、制御用構成要素の、入出力用構成要素に対向する面に表示されている識別情報の視認が可能となるように離して平行に配置されている」構成としては、制御用構成要素に表示されている識別情報全体を視認可能な距離以上離して制御用構成要素と入出力用構成要素が平行に配置されている構成や、制御用構成要素に表示されている識別情報の一部を視認可能であり、且つ、視認した識別情報の一部に基づいて識別情報全体を推定可能な距離以上離して制御用構成要素と入出力用構成要素が平行に配置されている構成を用いることができる。すなわち、必ずしも、識別情報の全体を視認可能でなくてもよい。
態様１の遊技機を用いれば、制御用集積回路の汎用性を高めることができる。また、制御基板の実装効率を高めることができるとともに、制御用集積回や入出力用集積回路と制御基板との間に不正回路が設けられていることを容易に発見することができる。また、制御用集積回路と入出力用集積回路を接続する接続線の長さが長くなる量を最小限に抑えながら、外観は正規の制御用構成要素に似せているが、正規の表示情報が表示されていない不正な制御用集積回路を容易に発見することができる。
【００５５】
また、「（態様２）第1のセレクト端子及び第1のデータバス端子を含む端子を有し、遊技機の動作を制御する制御回路を内蔵する制御用集積回路と、前記制御用集積回路の第1のセレクタ端子及び第1のデータバス端子に接続される第２のセレクト端子及び第２のデータバス端子と複数のデータ端子を含む端子を有し、前記第２のセレクト端子に入力されたセレクト信号に基づいて、前記第２のデータバス端子と前記複数のデータ端子との接続を制御する入出力処理回路を内蔵する入出力用集積回路と、前記制御用集積回路及び前記入出力用集積回路が配置される制御基板と、前記制御用集積回路及び前記入出力用集積回路が配置された前記制御基板を収容するケースを備え、前記制御用集積回路及び前記入出力用集積回路は、縦型の集積回路として形成されているとともに、平行に前記制御基板に配置されており、前記制御用集積回路の、前記入出力用集積回路と対向する側の面には識別情報が表示されており、前記制御用集積回路と前記入出力用集積回路は、平行方向にずらせて配置されている、ことを特徴とする遊技機。」として構成することができる。
態様２の遊技機は、第1のセレクト端子及び第1のデータバス端子を含む端子を有する制御用集積回路と、第1のセレクタ端子及び第1のデータバス端子に接続される第２のセレクト端子及び第２のデータバス端子と複数のデータ端子を含む端子を有する入出力用集積回路と、制御基板と、制御基板を収容するケースを備えている。
制御用集積回路及び入出力用集積回路は、縦型の集積回路として形成されているとともに、平行に制御基板に配置されている。
そして、制御用集積回路と入出力用集積回路は、平行方向にずらせて配置されている。
「制御用集積回路と入出力用集積回路を、平行に、平行方向にずらせて配置する」態様は、制御用集積回路と入出力用集積回路が、平行方向に少なくとも一部は重なるが、全部は重ならない態様を意味する。
態様２の遊技機を用いれば、態様１の遊技機と同様の効果を有する。なお、態様２の遊技機では、態様１の遊技機に比べて、制御用集積回路と入出力用集積回路を接続する接続線の長さが長くなる量をより抑えることができる。
【００５６】
また、「（態様３）態様の遊技機であって、前記制御用集積回路と前記入出力用集積回路は、前記制御用集積回路の、前記識別情報が表示されている面を前記入出力用集積回路側から見た時に、前記識別情報の少なくとも一部が前記入出力用集積回路と重ならないように、平行方向にずらせて配置されている、ことを特徴とする遊技機。」として構成することができる。
態様３の遊技機では、制御用集積回路と入出力用集積回路が、制御用集積回路の、識別情報が表示されている面を入出力用集積回路側から見た時に、識別情報の少なくとも一部が入出力用集積回路と重ならないように、平行方向にずらせて配置されている。
「制御用集積回路の、識別情報が表示されている面を入出力用集積回路側から見た時に、識別情報の少なくとも一部が入出力用集積回路と重ならないように平行方向にずらせて配置される」構成は、入出力用集積回路側から見た時に視認可能な識別情報の少なくとも一部（全部を含む）を視認可能であり、且つ、視認した識別情報の少なくとも一部に基づいて、識別情報全体を推定可能な距離以上離して制御用構成要素と入出力用構成要素が平行に配置されている構成を意味している。
態様３の遊技機を用いれば、制御用集積回路と入出力用集積回路を接続する接続線の長さが長くなる量を最小限に抑えながら、外観は正規の制御用構成要素に似せているが、正規の表示情報が表示されていない不正な制御用集積回路をより容易に発見することができる。
【００５７】
また、「（態様４）態様１〜３のいずれかの遊技機であって、前記制御用集積回路及び前記入出力用集積回路の端子は、２列に平行に配置されており、前記制御基板には、前記制御用集積回路の端子が接続可能な制御用接続部が２列に平行に配置されているとともに、前記入出力用集積回路の端子が接続可能な入出力用接続部が２列に平行に配置されており、前記入出力用接続部側に配置されている列の制御用接続部に接続される、前記制御用集積回路の端子の列に前記第１のデータバス端子が含まれており、前記制御用接続部側に配置されている列の入出力用接続部に接続される、前記入出力用集積回路の端子の列に前記第２のデータバス端子が含まれており、前記第１のデータバス端子が接続される制御用接続部と、前記第２のデータバス端子が接続される入出力用接続部を接続するデータバスが、前記制御基板の前記制御用接続部と前記入出力用接続部の間に配置されている、ことを特徴とする遊技機。」として構成することができる。
態様４の遊技機では、制御用集積回路及び入出力用集積回路の端子は２列に平行に配置されているとともに、制御基板には、制御用集積回路及び入出力用集積回路の端子が接続可能な制御用接続部及び入出力用接続部が２列に平行に配置されている。
そして、入出力用集積回路側の列の制御用集積回路の端子及び制御用集積回路側の列の入出力用集積回路の端子をデータバス端子とし、制御基板の、データバス端子が接続される制御用接続部と入出力用接続部の間にデータバスを配置している。
態様４の遊技機を用いれば、直線状のデータバスを配置することができるため、データバスの長さを短くすることができる。
【００５８】
また「（態様５）態様４の遊技機であって、前記第１のデータバス端子が接続される制御用接続部と前記第２のデータバス端子が接続される入出力用接続部は、対向するように前記制御基板に配置されている、ことを特徴とする遊技機。」として構成することができる。
態様５の遊技機では、データバス端子が対向するように配置されている。
「データバス端子が対向するように配置されている」という記載は、制御用集積回路と入出力用集積回路の平行方向、すなわち、制御用接続部と入出力用接続部の平行方向に直角（略直角を含む）な位置にデータバス端子が配置されている構成を意味する。
態様５の遊技機を用いれば、データバス端子の長さをより短くすることができる。
【００５９】
また、「（態様６）態様1〜５のいずれかの遊技機であって、前記制御用集積回路と前記入出力用集積回路の距離は、前記制御基板に配置された、前記縦型の集積回路として形成された制御用集積回路の周囲に、横型の集積回路として形成された制御用集積回路を前記制御基板に配置した場合に必要とする実装面積と等しい領域を確保可能な距離に設定されている、ことを特徴とする遊技機。」として構成することができる。
態様６の遊技機では、制御用集積回路と入出力用集積回路の距離が、制御基板に配置された縦型の制御用集積回路の周囲に、横型の集積回路として形成された制御用集積回路を制御基板に配置した場合に必要とする実装面積と等しい領域を確保可能な距離に設定されている。
「制御基板に配置された、縦型の制御用集積回路の周囲に、横型の集積回路として形成された制御用集積回路を制御基板に配置した場合に必要とする実装面積と等しい領域を確保可能な距離」という記載は、例えば、横型の主制御用集積回路と入出力用集積回路を平行に主制御基板上に配置した場合に、横型の主制御用集積回路が配置される領域（実装領域）の中央部に、縦型の主制御用集積回路の端子の配列方向が横型の主制御用集積回路の端子の配列方向と同じ方向となるように、縦型の主制御用集積回路を主制御基板に配置する構成を意味する。
態様６の遊技機を用いれば、制御用集積回路の、入出力用集積回路側の面に表示されている識別情報を視認可能となるように、制御用集積回路と入出力用集積回路を容易に配置することができる。
【００６０】
また、「（態様７）態様１〜６のいずれかの遊技機であって、前記入出力用集積回路の複数のデータ端子の中の少なくとも１つのデータ端子に接続されるとともに、外部機器に接続されたプラグの端子が接続可能な接続端子を有する接続部を備え、前記接続部は、前記入出力用集積回路を挟んで前記制御用集積回路と反対側に、前記入出力用集積回路と平行に配置されている、ことを特徴とする遊技機。」として構成することができる。
態様７の遊技機では、入出力用集積回路のデータ端子の中の少なくとも１つに接続される接続端子を有する接続部を、入出力用集積回路を挟んで制御用集積回路と反対側に、入出力用集積回路と平行に配置している。
「接続部を入出力用集積回路と平行に配置する」構成は、例えば、接続部の接続端子の配列方向が入出力用集積回路の端子列の配列方向と平行になるように、接続部と入出力用集積回路を配置する構成を意味する。
接続部に接続されるデータ端子は１つでもよいし複数でもよい。
接続部の配置位置あるいは接続部の接続端子に接続される入出力用集積回路のデータ端子の配設位置は、接続部と入出力用集積回路が制御基板に配置された時に、接続部の接続端子と入出力用集積回路のデータ端子が対向するように設定されているのが好ましい。
態様７の遊技機を用いれば、入出力用集積回路と接続部との間に配設されるデータ線の長さを短くすることができる。
【００６１】
また、「（態様８）態様７の遊技機であって、前記接続部と前記入出力用集積回路は、前記制御用集積回路と前記入出力用集積回路の間の距離以上離して配置されている、ことを特徴とする遊技機。」として構成することができる。
態様８の遊技機では、接続部と入出力用集積回路の間の距離を、制御用集積回路と入出力用集積回路の間の距離以上に設定している。
態様８の遊技機を用いれば、入出力用集積回路と接続部の間に不正な回路が設けられていることを容易に発見することができる。
【００６２】
また、「（態様９）態様１〜８のいずれかの遊技機であって、前記入出力用集積回路は、前記制御用集積回路より前記制御基板の中央部側に配置されている、ことを特徴とする遊技機。」として構成することができる。
態様９の遊技機では、入出力用集積回路が制御用集積回路より制御基板の中央部側に配置されている。
態様９の遊技機を用いれば、入出力用集積回路と他の回路との間に配設される接続線を短くすることができる。
【００６３】
また、「（態様１０）態様１〜９のいずれかの遊技機であって、前記制御基板は、前記制御用集積回路及び前記入出力用集積回路が配置される側の面が長方形に形成されており、前記制御用集積回路及び前記入出力用集積回路は、前記長方形に形成された面の長辺に平行に配置されている、ことを特徴とする遊技機。」として構成することができる。
態様１０の遊技機では、制御用集積回路及び入出力用集積回路が、長方形に形成されている制御基板の基板面の長辺に平行に配置されている。
態様１０の遊技機を用いれば、制御用集積回路に表示されている識別情報を視認可能に、制御用集積回路と入出力用集積回路の間の距離を確保しながら、制御基板の実装効率を高めることができる。
【００６４】
また、「（態様１１）態様４〜１０のいずれかの遊技機であって、前記制御回路の動作用クロック信号を出力し、前記制御基板に配置される発振器を備え、前記発振器は、前記制御用集積回路を挟んで前記入出力用集積回路と反対側に配置されている、ことを特徴とする遊技機。」として構成することができる
態様１１の遊技機では、制御回路の動作用クロック信号を出力する発振器を、制御用集積回路を挟んで入出力用集積回路と反対側に配置している。
態様１１の遊技機を用いれば、発振器から発生するノイズが、制御用集積回路と入出力用集積回路との間に配設されているデータバスに浸入するのを防止することができる。
【００６５】
また、「（態様１２）態様４〜１１のいずれかの遊技機であって、前記制御基板は、前記制御用集積回路及び前記入出力用集積回路が配置される側及び反対側の面を有し、前記制御基板の少なくとも一方側の面には、前記２列に配置された制御用接続部の間あるいは前記２列に配置された入出力用接続部の間に接地線が配置されている、ことを特徴とする遊技機。」として構成することができる。
態様１２の遊技機では、制御基板の少なくとも一方側の面に、２列の制御用接続部列の間あるいは２列の入出力用接続部列の間に接地線が配置されている。
接地線の配設位置は、２列の制御用接続部列の間あるいは２列の入出力用接続部列の間であればよいが、２列の制御用接続部列の間あるいは２列の入出力用接続部列の間の中央部であるのが好ましい。
接地線は、２列の制御用接続部列の間及び２列の入出力用接続部列の間の少なくとも一方に配設されていればよい。また、少なくとも一方側の基板面に配設されていればよい。
「制御用集積回路及び入出力用集積回路が配置されていない側（反実装側）の基板面における２列の制御用接続部列の間あるいは２列の入出力用接続部列の間」は、制御用集積回路及び入出力用集積回路が配置されている側（実装側）の基板面に設けられている制御用接続部あるいは入出力用接続部を、制御用集積回路及び入出力用集積回路が配置されていない側に貫通させることによって形成される２列の制御用接続部列あるいは２列の入出力用接続部列の間を意味する。
態様１２の遊技機では、制御用集積回路あるいは入出力用集積回路の下方の基板面に接地線が配設されているため、制御用集積回路あるいは入出力用集積回路から発生するノイズが外部に放出されるのを防止することができる。これにより、外部機器のノイズによる誤動作を防止することができる。また、制御用集積回路あるいは入出力用集積回路の端子列の間に不正な回路が配置されることを防止することができ、不正防止効果を高めることができる。
【００６６】
また、「（態様１３）第1のセレクト端子及び第1のデータバス端子を含む端子を有し、遊技機の動作を制御する制御回路を内蔵する制御用集積回路と、前記制御用集積回路の第1のセレクタ端子及び第1のデータバス端子に接続される第２のセレクト端子及び第２のデータバス端子と複数のデータ端子を含む端子を有し、前記第２のセレクト端子に入力されたセレクト信号に基づいて、前記第２のデータバス端子と前記複数のデータ端子との接続を制御する入出力処理回路を内蔵する入出力用集積回路と、前記制御用集積回路の端子が接続可能な制御用接続部と、前記入出力用集積回路の端子が接続可能な入出力用接続部が配置されている制御基板を備え、前記制御用集積回路と前記入出力用集積回路が同一の外形形状を有している遊技機であって、前記制御用集積回路と前記入出力用集積回路は、互いに判別可能に構成されている、ことを特徴とする遊技機。」として構成することができる。
態様１３の遊技機では、同じ外形形状を有する制御用集積回路と入出力用集積回路を判別可能に構成している。
「判別可能に構成する」方法としては、色によって判別可能に構成する方法や、接続端子の数や配設態様によって判別可能に構成する態様等を用いることができる。
態様１３の遊技機では、同じ外形形状を有している制御用集積回路と入出力用集積回路を判別することができるため、作業員等が制御用集積回路と入出力用集積回路の配設位置を間違えるのを防止することができる。
【００６７】
また、「（態様１４）態様１３の遊技機であって、前記制御用集積回路及び前記入出力用集積回路は、縦型の集積回路として形成されているとともに、平行に前記制御基板に配置されている、ことを特徴とする遊技機。」として構成することができる。
態様１４の遊技機では、制御用集積回路及び入出力用集積回路が、縦型の集積回路として形成されているとともに、平行に制御基板に配置されている。
態様１４の遊技機を用いれば、制御基板の実装効率を高めることができる。また、制御用集積回路と入出力用集積回路との間に配設される接続線を短くすることができる。さらに、制御用集積回路及び入出力用集積回路と制御基板との間に不正回路が配設されたことを容易に発見することができる。
【００６８】
また、「（態様１５）態様１３または１４の遊技機であって、前記制御用集積回路及び前記入出力用集積回路は、少なくとも一部の色が異なるように構成されている、ことを特徴とする遊技機。」として構成することができる。
態様１５の遊技機では、制御用集積回路及び入出力用集積回路が、少なくとも一部の色が異なるように構成されている。
制御用集積回路や入出力用集積回路の一部の色を変える方法を用いる場合には、色の表示位置を、色が異なっていることを容易に判別することができる位置、例えば、制御用集積回路や入出力用集積回路の上面（反基板面側）に設定するのが好ましい。
ここで、模様は色の組合せであるから、「制御用集積回路と入出力用集積回路の少なくとも一部の色が異なる」態様には、制御用集積回路と入出力用集積回路の少なくとも一部に異なる模様を表示する態様が含まれる。模様には、無地の模様も含まれる。
態様１５の遊技機を用いれば、作業員等は、制御用集積回路と入出力用集積回路の一部あるいは全部に表示されている色（模様を含む）を視認するだけで、制御用集積回路と入出力用集積回路を簡単に、確実に判別することができる。これにより、作業員等が制御用集積回路と入出力用集積回路の配設位置を間違えるのを防止することができる。
【００６９】
また、「（態様１６）態様１３〜１５のいずれかの遊技機であって、前記制御用集積回路の端子及び前記主制御用接続部と前記入出力用集積回路の端子及び前記入出力用接続部の数あるいは配置形状の少なくとも一方が異なるように構成されている、ことを特徴とする遊技機。」として構成することができる。
態様１６の遊技機では、制御用集積回路の端子及び制御用接続部と入出力用集積回路の端子及び入出力用接続部の数あるいは配置形状の少なくとも一方を変えている。
態様１６の遊技機を用いれば、制御用集積回路の端子は制御用接続部にしか接続することができず、また、入出力用集積回路の端子は入出力用接続部にしか接続することができない。このため、同じ外形形状であっても、制御用集積回路や入出力用集積回路を正しい配置位置に確実に配置することができる。
【００７０】
また、「（態様１７）態様１３〜１６のいずれかの遊技機であって、前記制御基板には、前記制御用接続部の近傍及び前記入出力用接続部の近傍に異なる色が表示されており、前記制御用集積回路及び前記入出力用集積回路には、それぞれ前記制御用接続部の近傍及び前記入出力用接続部の近傍に表示されている色と同じ色が表示されている、ことを特徴とする遊技機。」として構成することができる。
態様１７の遊技機では、制御用集積回路及び制御用接続部の近傍と入出力用集積回路及び入出力用接続部の近傍にそれぞれ異なる色を表示している。
制御用接続部や入出力用接続部の近傍としては、制御用接続部や入出力用接続部から離れている箇所、制御用接続部や入出力用接続部の一部あるいは全部を含む領域を設定することができる。
模様を表示する態様は、色を表示する態様に含まれる。
態様１７の遊技機を用いれば、作業員等は、集積回路に表示されている色（模様を含む）と、制御用接続部及び入出力用接続部の近傍の色を対比するだけで、すなわち、集積回路に表示されている色と同じ色が表示されている制御用接続部あるいは入出力用接続部を選択するだけで、集積回路を正しい配置位置に配置することができる。
【００７１】
また、「（態様１８）態様１７の遊技機であって、異なる模様を表示する、ことを特徴とする遊技機。」として構成することができる。
態様１８の遊技機では、制御用集積回路及び制御用接続部の近傍と入出力用集積回路及び入出力用接続部の近傍に異なる模様を表示している。
異なる模様としては、一瞥して判別可能な模様を用いるのが好ましい。
態様１８の遊技機を用いれば、作業員等は、模様の認識及び対比を行うだけでよいため、集積回路を正しい配置位置に、容易に、確実に配置することができる。
【図面の簡単な説明】
【００７２】
【図１】第１の実施の形態の概略構成を示す斜視図である。
【図２】図１のＩＩ線矢視図である。
【図３】図１の要部の斜視図である。
【図４】図２のＩＶ線矢視図である。
【図５】主制御用集積回路と入出力用集積回路の配置例を示す図である。
【図６】主制御用集積回路と入出力用集積回路の配置例を示す図である。
【図７】主制御用集積回路と入出力用集積回路の配置例を示す図である。
【図８】第１の実施の形態の要部の斜視図である。
【図９】図９のＶＩ線矢視図である。
【図１０】図９のＶＩＩ−ＶＩＩ線断面図である。
【図１１】第２の実施の形態の要部の斜視図である。
【図１２】第２の実施の形態の要部の平面図である。
【図１３】第３の実施の形態の要部の斜視図である。
【図１４】第４の実施の形態の要部の斜視図である。
【符号の説明】
【００７３】
１１０  ケース
１１１  孔
１２０  基板
１２０ａ、１２０ｂ  基板面
１２０ＣＰＵ  制御用挿入部
１２０ＣＰＵａ、１２０ＣＰＵｂ  制御用挿入部列
１２０ＩＯ  入出力用挿入部
１２０ＩＯａ、１２０ＩＯｂ  入出力用挿入部列
１２０Ｇｆ、１２０Ｇｂ  接地パターン
１２１  ソケット
１２２  発振器
１３０  制御用集積回路（ＣＰＵチップ）
１３０ａ、１３０ｂ  側面
１３０ｃ  底面（基板と対向する面）
１３１、１４１  端子
１３１ａ、１３１ｂ、１４１ａ、１４１ｂ  端子列
１３２、１３３ａ  識別情報
１３３  シール
１４０  入出力用集積回路（ＩＯチップ）
１４０ａ、１４０ｂ  側面
【図１】
2006068252.tif 000003
【図２】
2006068252.tif 000004
【図３】
2006068252.tif 000005
【図４】
2006068252.tif 000006
【図５】
2006068252.tif 000007
【図６】
2006068252.tif 000008
【図７】
2006068252.tif 000009
【図８】
2006068252.tif 000010
【図９】
2006068252.tif 000011
【図１０】
2006068252.tif 000012
【図１１】
2006068252.tif 000013
【図１２】
2006068252.tif 000014
【図１３】
2006068252.tif 000015
【図１４】
2006068252.tif 000016